(57)【要約】【課題】複数台設ける場合の導入コストの低減を図りつつ省スペース化を図ることができるＩＣカード端末装置を提供することを課題とする。【解決手段】コントローラ部１０が、複数のカード通信制御ユニット１１〜１２及び複数のカードかざし部１３〜１５と接続され、各カードかざし部１３〜１５のいずれかがＩＣカードと通信可能状態となった際に、このカードかざし部と接続するカード通信制御ユニットを選択し、選択したカード通信制御ユニット及び当該カードかざし部を介してＩＣカードとの間で決済制御を行う。【選択図】        図１
2006244409.tif 000002
【特許請求の範囲】
【請求項１】
ＩＣカードをかざすカードかざし部、前記ＩＣカードとの間で決済制御を行うコントローラ部及び前記ＩＣカードとのデータの読み書き制御を行うカード通信制御ユニットを有するＩＣカード端末装置であって、
前記コントローラ部は、前記カード通信制御ユニット及び複数のカードかざし部と接続され、前記複数のカードかざし部のいずれかが前記ＩＣカードと通信可能状態となった際に、前記カード通信制御ユニット及び当該カードかざし部を介して前記ＩＣカードとの間で決済制御を行う
ことを特徴とするＩＣカード端末装置。
【請求項２】
前記複数のカードかざし部は、前記コントローラ部と共通のバスを介してマルチドロップで接続され、前記コントローラ部からの状態確認一斉指令に応答して、カード検知の有無を前記コントローラ部に通知することを特徴とする請求項１に記載のＩＣカード端末装置。
【請求項３】
前記複数のカードかざし部は、前記コントローラ部からの状態確認一斉指令を基準とする割当タイムスロットでカード検知の有無を前記コントローラ部に通知することを特徴とする請求項２に記載のＩＣカード端末装置。
【請求項４】
前記コントローラ部は、複数のカード通信制御ユニットと接続され、前記複数のカードかざし部のいずれかが前記ＩＣカードと通信可能状態となった際に、当該カードかざし部に割り当てるカード通信制御ユニットを選択し、選択されたカード通信制御ユニット及び当該カードかざし部を介して前記ＩＣカードとの間で決済制御を行うことを特徴とする請求項１、２又は３に記載のＩＣカード端末装置。
【請求項５】
前記複数のカードかざし部は、前記複数のカード通信制御ユニットとそれぞれスイッチ接続され、前記コントローラ部により選択されたカード通信制御ユニットの識別情報を受け付けた際に、該選択されたカード通信制御ユニットとの間のスイッチ接続を有効化することを特徴とする請求項４に記載のＩＣカード端末装置。
【請求項６】
前記複数のカードかざし部は、前記ＩＣカードとの間でデータ送受信を行うアンテナ部と、少なくとも状態表示及び取引確定指示の受け付けを行うユーザインターフェース部と、各カードかざし部にユニークな識別情報を設定記憶する設定記憶手段と、一又は複数のカード通信制御ユニットとの接続を切り換える切換手段と、少なくとも前記切換手段の切換制御並びに前記コントローラ部及び前記カード通信制御ユニットとの通信制御を行う制御手段とを備えたことを特徴とする請求項１〜５のいずれか一つに記載のＩＣカード端末装置。
【請求項７】
前記コントローラ部は、前記カード通信制御ユニット及び前記カードかざし部を介して前記ＩＣカードとの通信により当該ＩＣカードの残高照会を行ったならば、前記ＩＣカードの残高表示指示並びに前記カード通信制御ユニットの解放指示を前記カードかざし部に対して行い、前記カードかざし部から取引確定指示を受け付けたならば前記複数のカード通信制御ユニットのいずれかを選択して接続指示を前記カードかざし部に対して行うことを特徴とする請求項６に記載のＩＣカード端末装置。
【発明の詳細な説明】
【技術分野】
【０００１】
本発明は、ＩＣカードをかざすカードかざし部、ＩＣカードとの間で決済制御を行うコントローラ部及びＩＣカードとのデータの読み書き制御を行うカード通信制御ユニットを有するＩＣカード端末装置に関し、特に、複数台設ける場合の導入コストの低減を図りつつ省スペース化を図ることができるＩＣカード端末装置に関する。
【背景技術】
【０００２】
最近、ＩＣカードの安全性及び利便性に着目して、住民基本台帳カード、鉄道乗車券、プリペイド型電子マネー並びにクレジットカード等様々な分野でＩＣカードが利用されつつある。このＩＣカードとは、プラスチックカードの中にＩＣチップを埋め込んだカードであり、特に利便性の高い非接触ＩＣカードは、プラスチックカード内に設けられたアンテナコイルを用いてＩＣカード端末（リーダ／ライタ）との間で非接触でデータ授受を行うものである。
【０００３】
具体的には、ＩＣカード端末のカードかざし部と呼ばれる部分に非接触ＩＣカードをかざすと、該非接触ＩＣカードはこのカードかざし部からの電磁波を受けて電力を生成するとともに、ＩＣカード端末から送信されたコマンドを受信、解析、処理し、結果の送信を行うことになる。例えば特許文献１には、このＩＣカード端末のカードかざし部に関する発明が開示されている。
【０００４】
ここで、上記ＩＣカード端末は、図１１に示すように、顧客がＩＣカードをかざすためのカードかざし部、ＩＣカードとの間で決済制御等を行うコントローラ部及びＩＣカードへのデータの読み書きを行うカード通信制御ユニットからなる。このため、百貨店、自動販売機、コインロッカー、ゲームセンター、パチンコ店等のように決済窓口が複数設けられる状況では、上記構成を有する複数のＩＣカード端末を各決済窓口にそれぞれ配設する必要があった。
【０００５】
【特許文献１】特開２００４−３５５５８０号公報
【発明の開示】
【発明が解決しようとする課題】
【０００６】
しかしながら、複数の決済窓口にそれぞれ１セットのＩＣカード端末を配設することとしたのでは、機器（ＩＣカード端末）の導入コストが高くなってしまうという問題がある。
【０００７】
すなわち、上記ＩＣカード端末を形成するカードかざし部については比較的安価であるものの、上記カード通信制御ユニットやコントローラ部についてはコストを低減するのに限界があるので、かかるカード通信制御ユニットやコントローラ部を決済窓口毎に個別に設けることとしたのでは、高価格化が避けられないのである。実際、かかるＩＣカード端末の導入コストの高価格化がネックとなり、百貨店やスーパー等でＩＣカードシステムの導入が見送られるケースが生じているのが実情である。
【０００８】
また、カードかざし部、カード通信制御ユニット及びコントローラ部を１セットとするＩＣカード端末を各決済窓口に配設することとすると、ＩＣカード端末が大きくなってしまい、設置スペース上の問題が生じる。
【０００９】
このことから、カードかざし部、カード通信制御ユニット及びコントローラ部からなるＩＣカード端末を複数台設ける場合に、導入コストの低減を図りつつ省スペース化をいかに実現するかが極めて重要な課題となっている。
【００１０】
この発明は、上記課題（問題点）に鑑みてなされたものであり、複数台設ける場合の導入コストの低減を図りつつ省スペース化を図ることができるＩＣカード端末装置を提供することを目的とする。
【課題を解決するための手段】
【００１１】
上述した課題を解決するため、本発明は、ＩＣカードをかざすカードかざし部、前記ＩＣカードとの間で決済制御を行うコントローラ部及び前記ＩＣカードとのデータの読み書き制御を行うカード通信制御ユニットを有するＩＣカード端末装置であって、前記コントローラ部は、前記カード通信制御ユニット及び複数のカードかざし部と接続され、前記複数のカードかざし部のいずれかが前記ＩＣカードと通信可能状態となった際に、前記カード通信制御ユニット及び当該カードかざし部を介して前記ＩＣカードとの間で決済制御を行うことを特徴とする。
【００１２】
また、本発明は、上記発明において、前記複数のカードかざし部は、前記コントローラ部と共通のバスを介してマルチドロップで接続され、前記コントローラ部からの状態確認一斉指令に応答して、カード検知の有無を前記コントローラ部に通知することを特徴とする。
【００１３】
また、本発明は、上記発明において、前記複数のカードかざし部は、前記コントローラ部からの状態確認一斉指令を基準とする割当タイムスロットでカード検知の有無を前記コントローラ部に通知することを特徴とする。
【００１４】
また、本発明は、上記発明において、前記コントローラ部は、複数のカード通信制御ユニットと接続され、前記複数のカードかざし部のいずれかが前記ＩＣカードと通信可能状態となった際に、当該カードかざし部に割り当てるカード通信制御ユニットを選択し、選択されたカード通信制御ユニット及び当該カードかざし部を介して前記ＩＣカードとの間で決済制御を行うことを特徴とする。
【００１５】
また、本発明は、上記発明において、前記複数のカードかざし部は、前記複数のカード通信制御ユニットとそれぞれスイッチ接続され、前記コントローラ部により選択されたカード通信制御ユニットの識別情報を受け付けた際に、該選択されたカード通信制御ユニットとの間のスイッチ接続を有効化することを特徴とする。
【００１６】
また、本発明は、上記発明において、前記複数のカードかざし部は、前記ＩＣカードとの間でデータ送受信を行うアンテナ部と、少なくとも状態表示及び取引確定指示の受け付けを行うユーザインターフェース部と、各カードかざし部にユニークな識別情報を設定記憶する設定記憶手段と、一又は複数のカード通信制御ユニットとの接続を切り換える切換手段と、少なくとも前記切換手段の切換制御並びに前記コントローラ部及び前記カード通信制御ユニットとの通信制御を行う制御手段とを備えたことを特徴とする。
【００１７】
また、本発明は、上記発明において、前記コントローラ部は、前記カード通信制御ユニット及び前記カードかざし部を介して前記ＩＣカードとの通信により当該ＩＣカードの残高照会を行ったならば、前記ＩＣカードの残高表示指示並びに前記カード通信制御ユニットの解放指示を前記カードかざし部に対して行い、前記カードかざし部から取引確定指示を受け付けたならば前記複数のカード通信制御ユニットのいずれかを選択して接続指示を前記カードかざし部に対して行うことを特徴とする。
【発明の効果】
【００１８】
本発明によれば、コントローラ部は、カード通信制御ユニット及び複数のカードかざし部と接続され、複数のカードかざし部のいずれかがＩＣカードと通信可能状態となった際に、カード通信制御ユニット及び当該カードかざし部を介してＩＣカードとの間で決済制御を行うよう構成したので、コントローラ部及びカード通信制御ユニットを共用化しつつカードかざし部を複数化することができるため、複数台設ける場合の導入コストの低減を図りつつ省スペース化を図ることが可能となる。
【００１９】
また、本発明によれば、複数のカードかざし部は、コントローラ部と共通のバスを介してマルチドロップで接続され、コントローラ部からの状態確認一斉指令に応答して、カード検知の有無をコントローラ部に通知するよう構成したので、必要に応じて簡易にカードかざし部を増設することができる。
【００２０】
また、本発明によれば、複数のカードかざし部は、コントローラ部からの状態確認一斉指令を基準とする割当タイムスロットでカード検知の有無をコントローラ部に通知するよう構成したので、各カードかざし部の識別情報をコントローラ部に送信しなくとも、コントローラ部が各カードかざし部でのカード検知の有無を効率的に把握することができる。
【００２１】
また、本発明によれば、コントローラ部は、複数のカード通信制御ユニットと接続され、複数のカードかざし部のいずれかがＩＣカードと通信可能状態となった際に、当該カードかざし部に割り当てるカード通信制御ユニットを選択し、選択されたカード通信制御ユニット及び当該カードかざし部を介してＩＣカードとの間で決済制御を行うよう構成したので、カードかざし部だけではなくカード通信制御ユニットについても複数化し、もって複数枚のＩＣカードと同時に取引を行うことが可能となる。
【００２２】
また、本発明によれば、複数のカードかざし部は、複数のカード通信制御ユニットとそれぞれスイッチ接続され、コントローラ部により選択されたカード通信制御ユニットの識別情報を受け付けた際に、該選択されたカード通信制御ユニットとの間のスイッチ接続を有効化するよう構成したので、カードかざし部側でのスイッチ接続により効率良くカード通信制御ユニットとの回線を確保することができる。
【００２３】
また、本発明によれば、複数のカードかざし部に、ＩＣカードとの間でデータ送受信を行うアンテナ部と、少なくとも状態表示及び取引確定指示の受け付けを行うユーザインターフェース部とを設け、各カードかざし部にユニークな識別情報を設定記憶するとともに、一又は複数のカード通信制御ユニットとの接続を切り換えつつ、コントローラ部及びカード通信制御ユニットとの通信制御を行うよう構成したので、通信機能などをカードかざし部に導入することで、一つのコントローラで複数のカードかざし部に対応することが可能となる。
【００２４】
また、本発明によれば、コントローラ部は、カード通信制御ユニット及びカードかざし部を介してＩＣカードとの通信により当該ＩＣカードの残高照会を行ったならば、ＩＣカードの残高表示指示並びにカード通信制御ユニットの解放指示をカードかざし部に対して行い、カードかざし部から取引確定指示を受け付けたならば複数のカード通信制御ユニットのいずれかを選択して接続指示をカードかざし部に対して行うよう構成したので、必要な時点でのみカード通信制御ユニットを拘束しそれ以外の場合にはカード通信制御ユニットを解放することで、数少ないカード通信制御ユニットで多くのカードかざし部に対応することが可能となる。
【発明を実施するための最良の形態】
【００２５】
以下に添付図面を参照して、本発明に係るＩＣカード端末装置の好適な実施例を詳細に説明する。なお、本実施例では、複数のカードかざし部をマルチドロップでコントローラ部と接続するとともに、複数のカード通信ユニットとマルチプレクサ接続する場合を示すこととする。
【実施例】
【００２６】
まず、本実施例に係るＩＣカード端末装置の概念について説明する。図１は、本実施例に係るＩＣカード端末装置の概念を説明するための説明図である。同図に示すように、このＩＣカード端末装置は、１台のコントローラ部１０と、２台のカード通信制御ユニット１１〜１２と、３台のカードかざし部１３〜１５とを接続したシステムである。
【００２７】
すなわち、従来は、各１台のコントローラ部、カード通信制御ユニット及びカードかざし部を１セットとしてＩＣカード端末装置を形成していたわけであるが、これでは複数のＩＣカード端末装置を配設する必要がある場合に、コストがかかるコントローラ部やカード通信制御ユニットを別個に設けなければならず、コスト面や設置場所の関係で問題がある。そこで、本実施例では、利用者が直接ＩＣカードのかざし操作を行うカードかざし部を複数台設けて１台のＩＣカード端末装置で複数の利用者に対応できるようにしている。また、複数台のカード通信制御ユニットを設けることにより、異なる利用者による同時取引を可能ならしめている。
【００２８】
コントローラ部１０は、ＩＣカード端末装置の全体制御を行うとともに、カード通信制御ユニット１１〜１２及びかざし部１３〜１５を介して利用者のＩＣカードとの間で決済制御を行う処理部である。すなわち、このコントローラ部１０は、カードかざし部１３〜１５のいずれかがＩＣカードと通信可能状態となった際に、カード通信制御ユニット１１〜１２及び当該カードかざし部１３〜１５を介してＩＣカードとの間で決済制御を行うことになる。
【００２９】
具体的には、このコントローラ部１０は、各カードかざし部１３〜１５にチェックコマンドを送信して接続状態を確認する処理、各カードかざし部１３〜１５に状態要求を一斉に送信してＩＣカードがかざされたか否かをそのレスポンスとして受信する処理、ＩＣカードがかざされたカードかざし部１３〜１５に対応すべきカード通信制御ユニット１１〜１２を選択する処理、選択したカード通信制御ユニット１１〜１２をカードかざし部１３〜１５に送信して接続要求を行う処理、カードかざし部１３〜１５にカード通信制御ユニット１１〜１２の解放指示を行う処理、かざし部１３〜１５によりＩＣカードが検知されている状況下で取引確定ボタンが押下されたか否かを確認する処理、ＩＣカードとの間の取引を行うためのカードかざし部１３〜１５とカード通信制御ユニット１１〜１２の接続指示並びにその解放指示等を行う。
【００３０】
カード通信制御ユニット１１〜１２は、カードかざし部１３〜１５にかざされたＩＣカードとの間でデータの読み書き制御を行うユニットである。かかるカード通信制御ユニット１１〜１２を複数台設けた理由は、業務特性上複数決済処理を高速化する必要があるため、複数のカードかざし部での同時取引を可能にするためである。なお、このカード通信制御ユニット１１〜１２は、カードかざし部１３〜１５よりも高価であり、かつ、同時取引の頻度が低いことを考慮すると、カードかざし部１３〜１５の台数よりも少ない台数とすることが効率的である。
【００３１】
カードかざし部１３〜１５は、利用者が非接触型のＩＣカードをかざすためのかざし部である。その詳細な説明は後述することとする。なお、ここでは非接触型のＩＣカードに本発明を適用した場合を説明するが、接触型のＩＣカードであっても同様に構成できる。
【００３２】
ここで、本実施例に係るＩＣカード端末装置は、上記コントローラ部１０に３台のカードかざし部１３〜１５がマルチドロップで接続されている。すなわち、コントローラ部１０から伸びる共通バス上に各カードかざし部１３〜１５を接続し、コントローラ部１０から各カードかざし部１３〜１５に対して一斉指令及び個別指令を行えるようにしている。かかる個別指令を行えるようにするため、各カードかざし部１３〜１５には、後述するようにユニークな識別情報を保持している。
【００３３】
また、コントローラ部１０には２台のカード通信制御ユニット１１〜１２がそれぞれシリアル通信ができるように接続されており、各カード通信制御ユニット１１〜１２と各カードかざし部１３〜１５とがマルチプレクサ接続されている。具体的には、カードかざし部１３〜１５は、各カード通信制御ユニット１１〜１２とそれぞれスイッチ接続され、コントローラ部１０により選択されたカード通信制御ユニットのチャネル番号を受け付けた際に、該チャネル番号のカード通信制御ユニット１１又はカード通信制御ユニット１２との間をスイッチ接続することになる。
【００３４】
次に、図１に示したカードかざし部１３の構成について説明する。図２は、図１に示したカードかざし部１３の構成を示すブロック図である。なお、ここでは説明の便宜上カードかざし部１３の構成について説明することとしたが、他のカードかざし部１４及び１５も同様の構成となる。
【００３５】
同図に示すように、このカードかざし部１３は、アンテナ部１３ａ、ユーザインターフェース部１３ｂ及びアンテナ基板１３ｃからなる。アンテナ部１３ａは、ＩＣカードとデータ送受信するためのアンテナであり、ユーザインターフェース部１３ｂは、取引確定キーを含むテンキーとカード残高等を表示する表示部を有する入出力部である。
【００３６】
アンテナ基板１３ｃは、ＩＣカードとのカード通信や、コントローラ部１０及びカード通信制御ユニット１１〜１２との通信等を行うために設けられたＣＰＵを搭載した基板であり、ＰＬＤ１３ｄ、ロータリースイッチ１３ｅ、接続スイッチ１３ｆ及びＣＰＵ１３ｇが設けられている。このように、カードかざし部１３に対してＩＣカード近接時のカード自動検知が行える程度のカード通信機能を搭載することにより、コントローラ部１０が状態取得時にカード検出処理を行う際のオーバーヘッドを低減することができる。また、カードかざし部１３自体がカード通信機能を持っているので、外部端末から直接カードコマンドの送信指示を行うことができ、ＰＯＳレジ等をアンテナ基板１３ｃに接続すればＩＣカードを使用したサービスを行うことが可能となる。
【００３７】
ＰＬＤ１３ｄは、アンテナ部１３ａとＣＰＵ１３ｇの間に介在する論理回路であり、マンチェスタ符号化等の符号化方式を用いてデータの符号化処理等を行う。ロータリースイッチ１３ｅは、ユニークな識別情報を設定するためのスイッチであり、かかるロータリースイッチ１３ｅで設定記憶された番号が自装置の装置番号となる。このロータリースイッチ１３ｅでユニークな識別情報を設定することにより、コントローラ部１０がカードかざし部１３〜１５を個別に認識できるため、優先順位、商品名、価格等の管理を行うことが可能となる。
【００３８】
接続スイッチ１３ｆは、カード通信制御ユニット１１〜１２と自装置との間を接続するスイッチであり、コントローラ部１０から指示されたチャンネル情報に基づいてＣＰＵ１３ｇが切換制御する。ＣＰＵ１３ｇは、図示しないＲＯＭ及びＲＡＭ等のメモリを内在する中央処理装置であり、アンテナ部１３ａを介したＩＣカード検知処理、ユーザインターフェース部１３ｂによるキー入力及び表示制御、接続スイッチ１３ｆの切換制御、コントローラ部１０との間の通信処理等を行う。
【００３９】
次に、図１に示したコントローラ部１０とカードかざし部１３〜１５の処理手順について説明する。図３−１及び図３−２は、図１に示したコントローラ部１０とカードかざし部１３〜１５の処理手順を示すシーケンス図である。なお、ここではコントローラ部１０及びカードかざし部１３〜１５が起動状態にあるものとする。
【００４０】
同図に示すように、コントローラ部１０上で表示内容の係員設定を入力すると（ステップＳ１０１）、コントローラ部１０が各カードかざし部１３〜１５にチェックコマンドを送信して接続状態の確認を行う（ステップＳ１０２）。その後、コントローラ部１０は、各カードかざし部１３〜１５にカード検知処理開始指示を行い（ステップＳ１０３）、コントローラ部１０はＩＣカードの検知若しくはユーザインターフェース部１３ｂ上のスイッチ押下を検知するカード・スイッチ検知待ち状態となる（ステップＳ１０４）。一方、各カードかざし部１３〜１５は、カード検知処理開始指示を受け取ったならば、カード・スイッチ監視状態となる（ステップＳ１０５）。なお、かかるカード・スイッチ監視状態では、カード通信制御ユニット１１〜１２は接続されていない状態である。
【００４１】
具体的には、コントローラ１０は、このカード・スイッチ検知待ち状態においては、各カードかざし部１３〜１５に対してそれぞれ状態要求を一斉指令で定期的に行い（ステップＳ１０６及びＳ１０８）、この状態要求を受けた各カードかざし部１３〜１５がそれぞれレスポンスを返すことになる（ステップＳ１０７及びＳ１０９）。
【００４２】
このレスポンスには、ロータリースイッチの番号と装置状態を示すコードが含まれ、ＩＣカードがかざされていない場合には、未検知を示すコードを含むレスポンスを返信し（ステップＳ１０７）、ＩＣカードがかざされている場合には、検知を示すコードを含むレスポンスを返信する（ステップＳ１０７）。
【００４３】
コントローラ部１０は、各カードかざし部１３〜１５からのレスポンスに含まれるコードを基にしてカードかざし部１３〜１５上にＩＣカードが存在するか否かを判定し（ステップＳ１１０）、ＩＣカードを検知するまで上記カード・スイッチ検知待ち状態を維持する（ステップＳ１１０否定）。
【００４４】
一方、コントローラ部１０によりいずれかのカードかざし部上でＩＣカードが検知されたと判定した場合には（ステップＳ１１０肯定）、当該カードかざし部に接続すべきカード通信制御ユニットを選択し、選択したカード通信制御ユニットの接続チャンネルを当該カードかざし部に対して指示する（ステップＳ１１１）。
【００４５】
この指示を受け付けたカードかざし部は、指示されたカード通信制御ユニットと接続できるよう接続スイッチ１３ｆを切り換え（ステップＳ１１２）、スイッチ監視状態に移行するとともに（ステップＳ１１３）、切換完了を示すレスポンスをコントローラ部１０に返信する（ステップＳ１１４）。なお、このスイッチ監視状態とは、取引確定スイッチ等が押下されたか否かを監視している状態であり、かかる状態中はカード通信制御ユニットが接続されている。
【００４６】
このレスポンスを受信したコントローラ部１０は、選択されたカード通信制御ユニットを使用して残高照会を行い（ステップＳ１１５）、当該カードかざし部に対して残高表示指示を行う（ステップＳ１１６）。なお、かかる残高表示指示を受け付けたカードかざし部は、残高表示を行うとともに（ステップＳ１１７）、残高表示完了を意味するコードを内在するレスポンスを返信する（ステップＳ１１８）。このレスポンスを受信したコントローラ部１０は、当該カードかざし部に対してカード通信制御ユニットの解放指示を行い（ステップＳ１１９）、この解放指示を受信したカードかざし部は、カード通信制御ユニットを解放した後に（ステップＳ１２０）、解放完了を意味するコードを内在したレスポンスをコントローラ部１０に返信する（ステップＳ１２１）。
【００４７】
この段階でカード通信制御ユニットを解放することとした理由は、共用するカード通信制御ユニットの解放期間を長くし、カード通信制御ユニットの利用効率を高めるためである。
【００４８】
その後、コントローラ部１０は、再び各カードかざし部１３〜１５に対して一斉指令でカード検知処理開始指示を行い（ステップＳ１２２）、ＩＣカードを検知したカードかざし部１３〜１５は、上記ステップＳ１０９と同様にレスポンスを行い（ステップＳ１２３）、カード通信制御ユニット１１〜１２が未接続のカード・スイッチ監視状態に移行し（ステップＳ１２４）、コントローラ部１０はスイッチ検知待ち状態となる。
【００４９】
そして、かかるカード・スイッチ監視状態にあるカードかざし部が取引確定スイッチの押下を検知しない場合には、コントローラ部１０からの状態要求に対して未検知のコードを含むレスポンスを返送し（ステップＳ１２５〜Ｓ１２６）、当該カードかざし部が取引確定スイッチの押下を検知した場合には、コントローラ部１０からの状態要求に対して取引確定スイッチの押下を検知したことを示すコードを含むレスポンスを返送する（ステップＳ１２７〜Ｓ１２８）。
【００５０】
コントローラ部１０は、かかるレスポンスによりスイッチ押下判定を行い（ステップＳ１２９）、スイッチの押下を検知したならば（ステップＳ１２９肯定）、当該カードかざし部に接続すべきカード通信制御ユニットを選択し、選択したカード通信制御ユニットの接続チャンネルを当該カードかざし部に対して指示する（ステップＳ１３０）。
【００５１】
この指示を受け付けたカードかざし部は、指示されたカード通信制御ユニットと接続できるよう接続スイッチ１３ｆを切り換えてカード通信制御ユニットに接続するとともに（ステップＳ１３１）、切換完了を示すレスポンスをコントローラ部１０に返信する（ステップＳ１３２）。
【００５２】
かかるレスポンスを受信したコントローラ部１０は、カード通信制御ユニット及びカードかざし部を介してＩＣカードとの間で取引処理を行い（ステップＳ１３３）、取引処理の終了後にカード通信制御ユニットを解放するようカードかざし部に指示する（ステップＳ１３４）。この指示を受けたカードかざし部は、接続スイッチ１３ｆを切り換えてカード通信制御ユニットを解放した後（ステップＳ１３５）、解放した旨のコードを含むレスポンスをコントローラ部１０に返信する（ステップＳ１３６）。
【００５３】
上記一連の処理を行うことにより、各カードかざし部１３〜１５のいずれかにＩＣカードがかざされたならば、当該カードかざし部とカード通信制御ユニット１１又は１２を介してＩＣカードと取引処理を行うことができる。なお、ここでは取引確定スイッチ等が押される前に一旦カード通信制御ユニットを解放することとしたが、取引処理が終わるまでカード通信制御ユニットを解放しないよう処理することもできる。また、ここではカードかざし部１３〜１５からのレスポンスにロータリースイッチ１３ｅの番号（ユニークな番号）を含めることとしたが、状態要求を基準時刻とするタイムスロットを各カードかざし部１３〜１５に割り当て、割り当てたタイムスロットで各カードかざし部１３〜１５から返信するよう処理することにより、レスポンスにロータリースイッチ１３ｅの番号を入れないようにすることもできる。
【００５４】
ところで、上記図１〜図３では、２つのカード通信制御ユニット１１〜１２を設けた場合を示したが、本発明はこれに限定されることはなく、図４に示すように単一のカード通信制御ユニット１１のみを設けた場合に適用することができる。かかる場合には、３つのカードかざし部１３〜１５を利用したカード取引が可能となるが、カード通信制御ユニット１１が一つしかないため同時に複数のＩＣカードと取引処理を行うことができない。したがって、かかる装置構成は、同時取引処理が少ない場合に適合することとなる。
【００５５】
また、図５に示すように３つのカード通信制御ユニット１１、１２、２０を設けた場合に本発明を適用することもできる。このように、新たなカード通信制御ユニット２０を増設すれば、さらに柔軟に同時取引処理に対応することができることになる。かかるカード通信制御ユニットはさらに増設することが可能であり、カード通信制御ユニットの台数を増やせば増やすほど、より多くのＩＣカードと同時取引処理することが可能となるが、その反面でコストが上昇する。
【００５６】
次に、本実施例に係るＩＣカード端末装置の実際の適用例について説明する。図６は、本発明に係るＩＣカード端末装置を百貨店のレジに適用した場合の概要を示す図であり、図７は、図６に示した百貨店のレジに適用した場合のＩＣカード端末装置の構成を示すブロック図である。
【００５７】
図６に示すように、この適用例では、百貨店のレジにＰＯＳ端末３１〜３２とともにカードかざし部１３〜１４を設けるとともに、店舗内の管理場所にカード通信制御ユニット１１〜１２及びコントローラ部１０を内在する制御部を設けている。
【００５８】
このように各部を配置すれば、レジにかざし部１３〜１４のみを設ければ良く、通信制御ユニット１１〜１２及びコントローラ部１０をレジに設ける必要がなくなるので、レジ自体の小型化を図ることができる。加えて、システム障害等が通信制御ユニット１１〜１２やコントローラ部１０に発生した場合であっても、顧客のいない店舗内の管理場所で効率良く障害対処することができる。
【００５９】
ここで、図７に示すように、ＰＯＳレジ３１及び３２は、それぞれカードかざし部１３及び１４に接続されることになる。具体的には、すでに説明したようにカードかざし部１３及び１４にはアンテナ基板１３ｃが設けられているので、このアンテナ基板１３ｃにＰＯＳレジ３１又は３２を接続し、ＣＰＵ１３ｇとＰＯＳレジ３１又は３２がデータ通信できるようにすれば良い。
【００６０】
図８は、本発明に係るＩＣカード端末装置をコインロッカーに適用した場合の概要を示す図であり、図９は、本発明に係るＩＣカード端末装置をパチンコ店内の遊技媒体貸出システムに適用した場合の概要を示す図である。
【００６１】
図８に示すように、コインロッカーの周囲にはスペースがあまりないので、ＩＣカードかざし部、カード通信制御ユニット及びコントローラ部が一体化された従来のＩＣカード端末装置を設けるのは難しい。これに対して、本実施例に係るＩＣカード端末装置では、各コインロッカーにカードかざし部のみを設ければ良いため、かかるコインロッカーに適合するものである。
【００６２】
図９に示すように、パチンコ店内には、パチンコ台４０とパチンコ台４０に挟まれる形態で台間処理機４１と呼ばれる遊技媒体貸出装置が配設されるのが通常であるので、上記コインロッカーの場合と同様にＩＣカードかざし部、カード通信制御ユニット及びコントローラ部が一体化された従来のＩＣカード端末装置を設けるのは効率的ではない。これに対して、本実施例に係るＩＣカード端末装置では、各台間処理機４１にカードかざし部のみを設ければ良いため、かかる遊技媒体貸出システムに適合するものである。なお、ここでは、レジ、コインロッカー、パチンコ店の台間機に本発明を適用した場合を示したが、ＩＣカードのカードかざし部を複数設ける場合に同様に適用することができる。
【００６３】
上述してきたように、本実施例では、コントローラ部１０が、複数のカード通信制御ユニット１１〜１２及び複数のカードかざし部１３〜１５と接続され、各カードかざし部１３〜１５のいずれかがＩＣカードと通信可能状態となった際に、このカードかざし部と接続するカード通信制御ユニットを選択し、選択したカード通信制御ユニット及び当該カードかざし部を介してＩＣカードとの間で決済制御を行うよう構成したので、コントローラ部１０及びカード通信制御ユニットを共用化しつつカードかざし部を複数化することができるため、複数台設ける場合の導入コストの低減を図りつつ省スペース化を図ることが可能となる。
【００６４】
なお、本実施例では、複数のカードかざし部１３〜１５をマルチドロップでコントローラ部１０と接続するとともに、複数のカード通信ユニット１１〜１２とマルチプレクサ接続する場合を示したが、本発明はこれに限定されるものではなく、マルチドロップ又はマルチプレクサ以外の接続形態を採用した場合にも適用することができる。接続形態の適用例としてはＬＡＮ接続などがある。
【００６５】
また、本実施例では、各カードかざし部１３〜１５に接続スイッチ１３ｆを設けた場合を示したが、本発明はこれに限定されるものではなく、かかるスイッチ接続機構については、複数あるうちの任意のかざし部と任意のカード通信制御ユニットをコントローラ１０が指定して接続できるものであれば、スイッチ接続する機構を搭載する場所及び接続指定方式はいかなるものであっても良い。例えば、図１０に示すように、カードかざし部１３〜１５とカード通信制御ユニット１１〜１２の間に接続スイッチ機構を有する配線基板を設け、コントローラ部１０からの接続指定信号により上記接続スイッチ機構を制御するよう構成することもできる。
【産業上の利用可能性】
【００６６】
本発明にかかるＩＣカード端末装置は、ＩＣカードをかざすカードかざし部、ＩＣカードとの間で決済制御を行うコントローラ部及びＩＣカードへのデータの読み書き制御を行うカード通信制御ユニットを有するＩＣカード端末装置に有用であり、特に、複数台設ける場合の導入コストの低減を図りつつ省スペース化を図る際に有用である。
【図面の簡単な説明】
【００６７】
【図１】本実施例に係るＩＣカード端末装置の概念を説明するための説明図である。
【図２】図１に示したカードかざし部の構成を示すブロック図である。
【図３−１】図１に示したコントローラ部とカードかざし部の処理手順を示すシーケンス図（その１）である。
【図３−２】図１に示したコントローラ部とカードかざし部の処理手順を示すシーケンス図（その２）である。
【図４】カード通信制御ユニットを１台とした場合のＩＣカード端末装置の説明図である。
【図５】カード通信制御ユニットを３台とした場合のＩＣカード端末装置の説明図である。
【図６】本発明に係るＩＣカード端末装置を百貨店のレジに適用した場合の概要を示す図である。
【図７】図６に示した百貨店のレジに適用した場合のＩＣカード端末装置の構成を示すブロック図である。
【図８】本発明に係るＩＣカード端末装置をコインロッカーに適用した場合の概要を示す図である。
【図９】本発明に係るＩＣカード端末装置をパチンコ店内の遊技媒体貸出システムに適用した場合の概要を示す図である。
【図１０】配線基板上に接続スイッチ機構を設けたＩＣカード端末装置の一例を示す図である。
【図１１】従来のＩＣカード端末装置の概念を説明するための説明図である。
【符号の説明】
【００６８】
１０  コントローラ部
１１，１２  カード通信制御ユニット
１３〜１５  カードかざし部
１３ａ  アンテナ部
１３ｂ  ユーザインターフェース部
１３ｃ  アンテナ基板
１３ｄ  ＰＬＤ
１３ｅ  ロータリースイッチ
１３ｆ  接続スイッチ
１３ｇ  ＣＰＵ
２０  カード通信制御ユニット
３１，３２  ＰＯＳレジ
４０  パチンコ台
４１  台間処理機
【図１】
2006244409.tif 000003
【図２】
2006244409.tif 000004
【図３−１】
2006244409.tif 000005
【図３−２】
2006244409.tif 000006
【図４】
2006244409.tif 000007
【図５】
2006244409.tif 000008
【図６】
2006244409.tif 000009
【図７】
2006244409.tif 000010
【図８】
2006244409.tif 000011
【図９】
2006244409.tif 000012
【図１０】
2006244409.tif 000013
【図１１】
2006244409.tif 000014